(57)【特許請求の範囲】
【請求項１】
建物の内壁である第１壁と、前記第１壁に接続する建物の内壁である第２壁とが形成する入隅に設けられる収納家具であって、
前記第１壁に回動可能に取り付けられる扉と、前記第１壁と前記第２壁と前記扉とによって囲まれた位置に形成される収納空間と、前記収納空間内に被収納物の載置面を形成する棚構成体と、を備え、
前記収納空間のうち、前記第１壁の反対側は開放状態が維持される第１開口とされ、前記第２壁の反対側は前記扉によって開閉される第２開口とされ、
前記扉は、前記第２開口を閉塞した状態において、前記棚構成体に接し、かつ、前記第２壁の幅方向に沿う方向の寸法が、前記棚構成体における前記第２壁の幅方向に沿う方向の寸法よりも大きいことを特徴とする収納家具。
【請求項２】
請求項１に記載の収納家具において、
前記棚構成体の上方ないし下方に離間してカウンターが設けられ、
前記扉の上端ないし下端は、前記カウンターの近傍に位置することを特徴とする収納家具。
【請求項３】
請求項１または２のいずれかに記載の収納家具において、
前記棚構成体は、上面が前記載置面とされた棚板を備えることを特徴とする収納家具。
【請求項４】
請求項３に記載の収納家具において、
前記棚構成体は、前記棚板が固定されるとともに前記第２壁に対して取り付けられる背板と、
前記棚板の上面または下面における幅方向中間部と前記背板とに固定される立板と、を備えることを特徴とする収納家具。
【請求項５】
請求項４に記載の収納家具において、
前記棚板は、前記第１壁の幅方向に沿う方向の寸法が、前記立板における前記第１壁の幅方向に沿う方向の寸法よりも大きいことを特徴とする収納家具。
【発明の詳細な説明】
【技術分野】
【０００１】
本発明は、収納家具に関する。
【背景技術】
【０００２】
従来、壁に備え付けられる収納家具が知られており、キッチン、洗面所、リビングおよびダイニング等の壁に収納家具が備えられている。
特許文献１に記載の壁面収納装置１では、筐体としての装置本体４の内部空間を収納スペース３とし、この収納スペース３に棚板７が設けられ、壁面の反対側の前面開口部５を開閉するための扉６が設けられている。
また、壁面収納装置１には、上部の凹部１０および下部の凹部１３にそれぞれ照明装置１２，１７が設けられている。
これにより、壁面収納装置１の上部および下部に間接照明が実現され、趣のある外観が形成されている。
【先行技術文献】
【特許文献】
【０００３】
【特許文献１】特許第４９１５８３８号
【発明の概要】
【発明が解決しようとする課題】
【０００４】
しかしながら、特許文献１に記載の壁面収納装置では、前面開口部５を有する直方体の装置本体４と、収納スペース３を区切る棚板７と、前面開口部５を開閉するための扉６と、を備える必要がある。
さらに、下部に間接照明を実現させるには、装置本体４を床面から離間させる必要があり、下方に収納庫１８等の部材を備えなければならない。
このため、趣のある外観を有する壁面収納装置１とするためには、多くの部材を用いる必要があり、製造および設置などが煩雑となり、当該壁面収納装置１を容易に利用しにくいという問題がある。
【０００５】
本発明は、上記課題に鑑みてなされたもので、少ない部材で製造および設置が容易で、かつ、意匠性が高い外観を形成することができる収納家具を提供することを目的とする。
【課題を解決するための手段】
【０００６】
上記課題を解決するため、請求項１に記載の発明は、例えば、図３，５，６に示すように、建物１の内壁である第１壁Ｗ１と、前記第１壁Ｗ１に接続する建物１の内壁である第２壁Ｗ２とが形成する入隅に設けられる収納家具２であって、前記第１壁Ｗ１に回動可能に取り付けられる扉２６と、前記第１壁Ｗ１と前記第２壁Ｗ２と前記扉２６とによって囲まれた位置に形成される収納空間と、前記収納空間内に被収納物の載置面を形成する棚構成体２３と、を備え、前記収納空間のうち、前記第１壁Ｗ１の反対側は開放状態が維持される第１開口４１とされ、前記第２壁Ｗ２の反対側は前記扉２６によって開閉される第２開口４２とされ、前記扉２６は、前記第２開口４２を閉塞した状態において、前記棚構成体２３に接し、かつ、前記第２壁Ｗ２の幅方向に沿う方向の寸法が、前記棚構成体２３における前記第２壁Ｗ２の幅方向に沿う方向の寸法よりも大きいことを特徴とする。
【０００７】
請求項１に記載の発明によれば、建物１の内壁である第１壁Ｗ１と、第１壁Ｗ１に接続する建物１の内壁である第２壁Ｗ２とが形成する入隅に設けられる収納家具２であって、第１壁Ｗ１に回動可能に取り付けられる扉２６と、第１壁Ｗ１と第２壁Ｗ２と扉２６とによって囲まれた位置に形成される収納空間と、収納空間内に被収納物の載置面を形成する棚構成体２３と、を備え、収納空間のうち、第１壁Ｗ１の反対側は開放状態が維持される第１開口４１とされ、第２壁Ｗ２の反対側は扉２６によって開閉される第２開口４２とされ、扉２６は、第２開口４２を閉塞した状態において、棚構成体２３に接し、かつ、第２壁Ｗ２の幅方向に沿う方向の寸法が、棚構成体２３における第２壁Ｗ２の幅方向に沿う方向の寸法よりも大きいので、第１壁Ｗ１の反対側に側板２１を設ける必要がなく、棚構成体２３と扉２６とを備えるのみで収納家具２を製造でき、少ない部材で容易に製造することができる。
また、棚構成体２３を第１壁Ｗ１ないし第２壁Ｗ２に取り付け、扉２６を第１壁Ｗ１に取り付けるだけなので、収納家具２を容易に設置することができる。
さらに、扉２６が閉じた状態でも第１開口４１が開放されたままなので、第１開口４１から収納物を出し入れできる。
また、棚構成体２３を収容する枠体がなく、棚構成体２３の第２壁Ｗ２方向における寸法よりも扉２６の第２壁Ｗ２方向における寸法の方が大きいので、扉２６を閉じた状態において、扉２６以外の棚構成体２３などが見えにくく、見る角度によっては扉２６があたかも第２壁Ｗ２から浮き出しているかのような外観を形成することができ、美感を生ずる外観となっている。
以上より、本発明にかかる収納家具２は、少ない部材で製造および設置が容易で、かつ、意匠性が高い外観を形成することができる。
【０００８】
請求項２に記載の発明は、例えば、図３，４，６に示すように、請求項１に記載の収納家具において、前記棚構成体２３の上方ないし下方に離間してカウンター３１，３２が設けられ、前記扉２６の上端ないし下端は、前記カウンター３１，３２の近傍に位置することを特徴とする。
【０００９】
請求項２に記載の発明によれば、棚構成体２３の上方ないし下方に離間してカウンター３１，３２が設けられ、扉２６の上端ないし下端は、カウンター３１，３２の近傍に位置するので、棚構成体２３の上端から上方のカウンター３１までの空間ないし棚構成体２３の下端から下方のカウンター３２までの空間を収納空間として利用することができる。
【００１０】
請求項３に記載の発明は、例えば、図３−９に示すように、請求項１または２のいずれかに記載の収納家具２において、前記棚構成体２３は、上面が前記載置面とされた棚板２３を備えることを特徴とする。
【００１１】
請求項３に記載の発明によれば、請求項１または２のいずれかに記載の収納家具２において、棚構成体２３は、上面が載置面とされた棚板２３を備えるので、載置面に収納する物を載せることで棚構成体２３に物を収納することができる。
【００１２】
請求項４に記載の発明は、例えば、図３−９に示すように、請求項３に記載の収納家具２において、前記棚構成体２３は、前記棚板２３が固定されるとともに前記第２壁Ｗ２に対して取り付けられる背板２２と、前記棚板２３の上面または下面における幅方向中間部と前記背板２２とに固定される立板２４と、を備えることを特徴とする。
【００１３】
請求項４に記載の発明によれば、請求項３に記載の収納家具２において、棚構成体２３は、棚板２３が固定されるとともに第２壁Ｗ２に対して取り付けられる背板２２と、棚板２３の上面または下面における幅方向中間部と背板２２とに固定される立板２４と、を備えるので、棚構成体２３をより安定的に固定することができ、より大きな棚構成体２３を採用することができる。
また、背板２２に立板２４が取り付けられるので、収納空間を第２壁Ｗ２の幅方向に沿う方向において区分けすることができる。
このため、棚構成体２３の第２壁Ｗ２の幅方向に沿う方向における寸法を大きくして、立板２４で収納空間を区分けすることができる。
【００１４】
請求項５に記載の発明は、例えば、図３−９に示すように、請求項４に記載の収納家具２において、前記棚板２３は、前記第１壁Ｗ１の幅方向に沿う方向の寸法が、前記立板２４における前記第１壁Ｗ１の幅方向に沿う方向の寸法よりも大きいことを特徴とする。
【００１５】
請求項５に記載の発明によれば、請求項４に記載の収納家具２において、棚板２３は、第１壁Ｗ１の幅方向に沿う方向の寸法が、立板２４における第１壁Ｗ１の幅方向に沿う方向の寸法よりも大きいので、扉２６を閉じた状態において、立板２４と扉２６とが当接することなく隙間が生じることとなる。
このため、第１壁Ｗ１側の収納空間が第１開口４１と連通することとなり、収納空間全体の通気を確保することができる。
【発明の効果】
【００１６】
本発明によれば、少ない部材で製造および設置が容易で、かつ、意匠性が高い外観を形成することができる。
【図面の簡単な説明】
【００１７】
【図１】本発明の本実施形態に係る収納家具が設けられる建物の外観正面図である。
【図２】本発明の本実施形態に係る収納家具が設けられる建物の１階部分の平面図である。
【図３】本発明の本実施形態に係る収納家具の扉が開いた状態の斜視図である。
【図４】本発明の本実施形態に係る収納家具の扉が閉じた状態の斜視図である。
【図５】本発明の本実施形態に係る収納家具の扉が閉じた状態の平面図である。
【図６】本発明の本実施形態に係る収納家具の扉が閉じた状態の側面図である。
【図７】本発明の本実施形態に係る収納家具の施工方法を説明するための斜視図である。
【図８】本発明の本実施形態に係る収納家具の施工方法を説明するための斜視図である。
【図９】本発明の本実施形態に係る収納家具の施工方法を説明するための斜視図である。
【発明を実施するための形態】
【００１８】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００１９】
〔建物１の外観〕
本発明の本実施形態では、図１に示したように、外観上は通常の２階建ての建物１である。また、建物１の軒高についても、通常の２階建ての建物１の高さと同様に７ｍである。
１階部分１Ｆには、玄関１１へと繋がるアプローチＡ（Approach）が設けられ、外壁の一部に大きな大開口部が設けられており、この開口部の略全面が掃出引違窓１３１となっている。
玄関１１および掃出引違窓１３１の上方に隣接してそれぞれ高窓１１３，１３５が設けられている。
また、掃出引違窓１３１に隣接して後述する突出部１３２が設けられている。
２階部分には、バルコニーが設けられており、このバルコニーは建物の両側壁から僅かに外方へと突出している。
建物１の屋根は、屋根面が傾斜面を有する勾配屋根ＳＲ（Sloped Roof）になっており、建物１の平面中心を頂点として前後方および両側方から４つの傾斜面が建物中心に向かうとともに高くなっている。
また、アプローチＡと大開口部との間に外壁が外方に突出した突出部１３２があり、この突出部１３２は１階部分１Ｆから２階部分２Ｆの軒まで同形状に突出している。
この建物１のファサードは、図２に示したように、鉛直方向に延設された突出部１３２と水平方向に延設されたバルコニー３３とが２階部分２Ｆあたりで交差するような十字状になっており、この十字状の構成が外観から美観を生じさせるものとなっている。
【００２０】
〔建物１の１階部分１Ｆ（第１層）〕
図２に示すように、建物１は南向きであり、建物１の第１層としての１階部分１Ｆには、高天井部として玄関１１と、ホール１２と、リビング＆ダイニング１３と、が備えられており、下階通常天井部としてキッチン１４と、風呂１５と、洗面所１６と、トイレ１７と、多目的区画１８と、第１階段１９とが備えられている。
【００２１】
玄関１１は、天井高さが後述する下階通常天井部１４，１５，１６，１７，１８よりも高く（具体的には天井高さ３０１０ｍｍ）設定された略矩形状の空間となっており、南側に建物１と外部とを接続する開口である出入口を有し、この出入口に玄関扉１１１が設けられ、東側の壁面に靴などが収納されるシューズクローゼット１１２が設けられている。
【００２２】
ホール１２は、天井高さが後述する下階通常天井部１４，１５，１６，１７，１８よりも高く（具体的には天井高さ３０１０ｍｍ）設定された略矩形状の空間であり、玄関１１の北側に隣接しており、西側の壁に採光および通風を目的とした窓１２１が設けられており、この窓１２１の近傍でかつ、北側の壁に北側に隣接する空間への採光を目的とした明り窓１２２が設けられている。この明かり窓１２２は、高さが床から２ｍ程度の位置に設けられ、採光するとともに室内までが見通せないようになっている。
【００２３】
リビング＆ダイニング１３は、天井高さが後述する下階通常天井部１４，１５，１６，１７，１８よりも高く（具体的には天井高さ３０１０ｍｍ）設定された略矩形状の大空間であって、１階部分１Ｆの南東角隅、玄関１１の東側に隣接して設けられており、南側外壁の東側には屋外との行き来が可能な大開口部が設けられ、この大開口部に掃出引違窓１３１が設けられている。
また、リビング＆ダイニング１３には、この大開口部の西側に隣接して設けられる大開口部よりも南側に突出する突出部１３２が設けられ、この突出部１３２にテレビなどのＡＶ機器を設置する設置台１３３が設けられている。
また、設置台１３３の南西の入隅には、収納棚１３４が設けられている。
なお、突出部１３２は、東西と南を囲むそれぞれの壁が耐力壁で構成されている。
【００２４】
キッチン１４は、天井高さが最低居室天井高よりも高く（具体的には天井高さ２４００ｍｍ）設定されており、リビング＆ダイニング１３の北側において、東側外壁に接して設けられる略矩形状の空間である。
キッチン１４には、南側に東西方向へキッチンカウンター１４１が延設され、このキッチンカウンター１４１の北側に連続してキッチンユニット１４２が設けられ、このキッチンユニット１４２の東側の外壁に屋外との行き来が可能な勝手口１４３が設けられている。キッチンユニット１４２には、三口コンロやシンクが設けられている。
また、勝手口１４３に対向する箇所に屋内とキッチン１４とを行き来する通路が設けられており、この通路はキッチンカウンター１４１の西端に設けられたゲート１４４により遮蔽可能となっている。具体的には、ゲート１４４は、キッチンカウンター１４１内に収納可能に取り付けられており、通路を開放する場合はキッチンカウンター１４１内に収容され、通路を遮蔽する場合にキッチンカウンター１４１から引き出されるようになっている。
なお、キッチンカウンター１４１は、腰高に形成されており、キッチン１４からキッチンカウンター１４１を介してリビング＆ダイニング１３を見渡せるようになっている。
また、キッチン１４の北側には、冷蔵庫置場１４５とカップボード１４６とが設けられている。
【００２５】
風呂１５は、天井高さが最低居室天井高よりも高く（具体的には天井高さ２４００ｍｍ）設定され、キッチン１４の北側、１階部分１Ｆの北東角隅に設けられており、浴槽１５１や換気窓１５２などが設けられている。
洗面所１６は、天井高さが最低居室天井高よりも高く（具体的には天井高さ２４００ｍｍ）設定され、風呂１５の西側に隣接して設けられており、洗面台１６１や収納庫１６２などが設けられている。
トイレ１７は、天井高さが最低居室天井高よりも高く（具体的には天井高さ２４００ｍｍ）設定されており、洗面所１６の西側に隣接して設けられている。
【００２６】
多目的区画１８は、天井高さが最低居室天井高よりも高く（具体的には天井高さ２４００ｍｍ）、建物１の北西角隅に略矩形状に設けられており、１階部分１Ｆにおいてリビング＆ダイニング１３に次ぐ広さの空間である。
この多目的区画１８は、子供が勉強する空間として利用したり、大人が書斎として利用したりする共有のワーキングスペースとして設けられている。
また、多目的区画１８とリビング＆ダイニング１３との境界は、引き戸１８１で間仕切られている。
第１階段１９は、建物１の２階部分２Ｆに接続する階段であり、この第１階段１９の下方の空間は階段下収納庫１９１，１９２として利用できるようになっている。また、第１階段１９には、上面が手摺として利用可能な側壁としての手摺壁１９３が設けられている。
【００２７】
〔収納家具〕
図３，４に示すように、収納家具２は、第１壁Ｗ１と第２壁Ｗ２とが形成する入隅に設けられ、かつ、上下に設けられる一対のカウンター３１，３２の間に設けられている。この収納家具２は、側板２１と、背板２２と、棚構成体としての棚板２３と、立板２４と、枠板２５と、扉２６と、を備えている。
側板２１は、矩形平面を有する板状の部材であって、その平面が第１壁Ｗ１に取り付け固定され、一方の端面が第２壁Ｗ２に当接固定され、他方の端面が後述する枠板２５に当接固定されている。
【００２８】
背板２２は、矩形平面を有する板状の部材であって、その平面が第２壁Ｗ２に取り付け固定され、一方の端面が側板２１に当接固定されている。
また、背板２２は、側板２１の高さ寸法とほぼ同じ高さ寸法であって、その上端面が側板２１の上端面と面一に設けられ、その下端面も同様に側板２１の下端面と面一に設けられている。
【００２９】
棚板２３は、矩形平面を有する板状の部材であって、短辺側の端面が側板２１に当接固定され、長辺側の端面が背板２２に当接固定されている。
また、棚板２３は、長辺の長さ寸法が背板２２の短辺の長さ寸法（すなわち、幅寸法）と略同じに形成されており、第１壁Ｗ１と反対の短辺側の端面が背板２２の端面と面一に設けられている。
また、棚板２３は、短辺の長さ寸法が側板２１の短辺の長さ寸法よりも長く形成されており、第２壁Ｗ２の反対の長辺側の端面が側板２１の端面よりも突出して設けられている。
棚板２３は、複数設けられており、最上部に設けられる棚板２３の上面が側板２１および背板２２の上端面と面一になるよう設けられ、最下部に設けられる棚板２３の下面が側板２１および背板２２の下端面と面一になるよう設けられている。
その他の棚板２３は、最上部の棚板２３と最下部の棚板２３との間に等間隔で離間して設けられている。
なお、最上部の棚板２３は天板として、最下部の棚板２３は底板として機能している。
【００３０】
立板２４は、矩形平面を有する板状の部材であって、上下に複数設けられる棚板２３同士の間に複数設けられており、上端面および下端面がそれぞれ棚板２３の下面および上面に当接固定され、側端面の一方が背板２２に当接固定されている。
また、立板２４は、第１壁Ｗ１の幅方向の長さ寸法が棚板２３の第１壁Ｗ１の幅方向（短辺側）の長さ寸法よりも短く形成されており、第２壁Ｗ２の反対側の端面が棚板２３の端面よりも奥まって設けられている。
【００３１】
ここで、側板２１、背板２２および立板２４は、それぞれの平面が鉛直方向に設けられ、棚板２３は、その平面が水平方向に設けられている。このため、これら側板２１、背板２２、棚板２３および立板２４により直方体状の収納空間が複数形成されることとなる。
換言すれば、側板２１（第１壁Ｗ１）と背板２２（第２壁Ｗ２）と後述する扉２６とによって囲まれた位置に形成される収納空間が、棚板２３と立板２４とにより複数に仕切られた状態になっている。
また、第１壁Ｗ１と対応する（棚板２３の短辺側）開口を第１開口４１とし、第２壁Ｗ２と対応する（棚板２３の長辺側）開口を第２開口４２とする。
【００３２】
枠板２５は、矩形平面を有する長尺板状の部材であって、その平面が第１壁Ｗ１に取り付け固定され、第２壁Ｗ２側の端面が側板２１の端面と当接されている。
また、枠板２５は、上下の長さ寸法が一対のカウンター３１，３２が上下に離間する離間寸法とよりも若干短く、第１壁Ｗ１の幅方向の寸法が上述した棚板２３の長辺側の端面が側板２１の端面よりも突出する突出寸法と略同じである。
このため、枠板２５は、第２壁Ｗ２の反対側の端面が棚板２３の端面と面一になっている。
【００３３】
扉２６は、矩形平面を有する板状の部材であって、側端面の一方が枠板２５に回動可能に取り付けられている。
具体的には、扉２６は、ヒンジ５を介して枠板２５に取り付けられており、ヒンジ５が枠板２５の上下端部および棚板２３の間に複数設けられている。
このため、扉２６は、閉じた状態において、枠板２５を回転中心として回動し、扉２６の有する平面である内側面２６１が棚板２３の端面に当接し、第２開口４２を閉塞するようになっている。厳密には、最上部および最下部の棚板２３の端面に小さな突起状部材であるクッション６が設けられているため、内側面２６１と棚板２３の端面とは僅かに離間している。
また、収納家具２は、扉２６が閉じた状態において、扉２６が第２開口４２を閉塞するが、第１開口４１は開放されたままとなる。つまり、第１開口４１は、扉２６の開閉に関わらず開放状態が維持されるようになっている。
【００３４】
また、扉２６は、幅寸法が棚板２３の長辺側の長さ寸法よりも長く、高さ寸法が上下一対のカウンター３１，３２の離間寸法よりも若干短い。このため、扉２６が閉じた状態において、扉２６の上下端とカウンター３１，３２との間には略隙間がない状態もしくは僅かな隙間が形成された状態となる。このため、最上部の棚板２３の上方と最下部の棚板２３の下方とが収納空間として利用可能となっている。
【００３５】
収納家具２は、正面視において、側板２１、背板２２、棚板２３および立板２４が扉２６に遮られるので、目視不可能となっている。
また、扉２６は、閉じた状態において、棚板２３の端面よりも扉２６の端面の方がより側方へ延設されることとなるので、正面から多少側方へずれて収納家具２を目視しても、扉２６より第２壁Ｗ２側が見えないようになっている。このため、収納家具２は、あたかも第１壁に取り付け固定された扉２６のみの構成であるかのように見える。つまり、収納家具２は、扉２６が閉じた状態において、扉２６が第２壁から浮き出したかのように見えるようになっている。
【００３６】
次に、図５，６に示すように、立板２４は、第１壁Ｗ１の幅方向に沿う方向の寸法が、棚板２３の短辺寸法よりも短く形成されているため、扉２６が閉じた状態でも端面が当接することなく、隙間７が生じることとなる。
このため、立板２４により間仕切られた第１壁Ｗ１側の収納空間は、扉２６を閉じた状態でも隙間７および第１開口４１を介して外部と連通しており、収納空間内の通気が確保されている。
また、図６においては、図面の表現上、枠板２５およびヒンジ５が明瞭に表れているが、実際には扉２６が閉じているため、光が入りづらく、第１壁Ｗ１側までは明確に目視されにくくなっている。
このため、収納家具２を側方から目視した場合、背板２２、棚板２３、立板２４および扉２６のそれぞれの端面のみが明確に目視されるようになっており、美観を生ずる外観となっている。
【００３７】
〔収納家具の設置方法〕
まず、図７に示すように、側板２１、背板２２、棚板２３および立板２４があらかじめ工場等でキャビネット状に組み立てられており、このキャビネットを第１壁Ｗ１と第２壁Ｗ２との入隅に側板２１と背板２２とをそれぞれ当接固定する。
具体的には、第２壁Ｗ２に向かって複数箇所にビスＢが背板２２を介して打ち込まれ、打ち込まれたビスＢの先端をボードアンカーＢＡ（Board Anchor）に受けることでキャビネットを入隅に取り付け固定する。また、ビスＢの頭に化粧シールＳを貼り付けて意匠性を維持する。
【００３８】
次に、図８に示すように、棚板２３が第１壁Ｗ１から側板２１の厚み寸法分離間した箇所（棚板２３が突出した端面）に枠板２５を嵌め込む。このとき、枠板２５の上下端部がそれぞれカウンター３１，３２と摺動しながら所定の箇所に枠板２５を嵌め込む。
枠板２５を嵌め込んだ後、第１壁Ｗ１に向かって複数のビスが枠板２５を介して打ち込まれ、打ち込まれたビスＢの先端をボードアンカーＢＡで受けることで枠板２５を第１壁Ｗ１に取り付け固定する。
【００３９】
図９に示すように、枠板２５の複数箇所にヒンジ５の一部分を取り付け、これに対応して扉２６の内側面２６１にヒンジ５の他の部分を取り付ける。
そして、扉２６を枠板２５に隣接し、それぞれに取り付けたヒンジ５の一部分を連結して扉２６を回動可能にヒンジ５で連結して枠板２５に取り付け固定する。
このようにして、図３，４に示すような収納家具２を第１壁Ｗ１と第２壁Ｗ２との入隅に設置する。
【００４０】
以上のように、本実施形態では、例えば、図３，５，６に示すように、建物１の内壁である第１壁Ｗ１と、この第１壁Ｗ１に接続する建物１の内壁である第２壁Ｗ２とが形成する入隅に設けられる収納家具２であって、第１壁Ｗ１ないし第２壁Ｗ２に取り付けられる棚板２３と、第１壁Ｗ１に回動可能に取り付けられる扉２６と、を備え、棚板２３には、第１壁Ｗ１の反対側に第１開口４１が形成され、第２壁の反対側に第２開口４２が形成され、扉２６が開いた状態において、第１開口４１および第２開口４２が開放され、扉２６が閉じた状態において、扉２６の内側面２６１が棚板２３と当接し、第２開口４２が扉２６により閉塞され、第１開口４１が閉塞されず開放状態が維持され、扉２６は、第２壁Ｗ２方向における寸法が、棚板２３の第２壁Ｗ２方向における寸法よりも大きいものとした。
こうすることで、棚板２３と扉２６とを備えるのみで収納家具を製造でき、少ない部材で容易に製造することができる。
また、棚板２３を第１壁Ｗ１ないし第２壁Ｗ２に取り付け、扉２６を第１壁Ｗ１に取り付けるだけなので、収納家具２を容易に設置することができる。
さらに、扉２６が閉じた状態でも第１開口４１が開放されたままなので、第１開口４１から収納物を出し入れできる。
また、棚板２３を収容する枠体がなく、棚板２３の第２壁Ｗ２方向における寸法よりも扉２６の第２壁Ｗ２方向における寸法の方が大きいので、扉２６を閉じた状態において、扉２６以外の棚板２３などが見えにくく、見る角度によっては扉２６があたかも第２壁Ｗ２から浮き出しているかのような外観を形成することができ、美感を生ずる外観となっている。
以上より、本発明にかかる収納家具２は、少ない部材で製造および設置が容易で、かつ、意匠性が高い外観を形成することができる。
【００４１】
また、本実施形態では、例えば、図３，４，６に示すように、最上部および最下部の棚板２３の上方および下方に離間してカウンター３１，３２が設けられ、扉２６の上端ないし下端は、カウンター３１，３２の近傍に位置するものとした。
こうすることで、最上部の棚板２３の上面から上方のカウンター３１までの空間ないし最下部の棚板２３の下面から下方のカウンター３２までの空間を収納空間として利用することができる。
【００４２】
また、本実施形態では、例えば、図３−９に示すように、棚板２３は、上面が載置面を備えるので、載置面に収納する物を載せることで棚板２３に物を収納することができる。
【００４３】
また、本実施形態では、例えば、図３−９に示すように、第２壁Ｗ２に取り付けられる背板２２と、この背板２２に取り付けられる立板２４と、を備え、棚板２３は、背板２２に取り付けられるものとした。
こうすることで、棚板２３をより安定的に固定することができ、より大きな棚板２３を採用することができる。
また、背板２２に立板２４が取り付けられるので、収納空間を第２壁Ｗ２方向において区分けすることができる。
このため、棚板２３の第２壁Ｗ２方向における寸法を大きくして、立板２４で収納空間を区分けすることができる。
【００４４】
また、本実施形態では、例えば、図３−９に示すように、棚板２３は、第１壁Ｗ１方向における寸法が、立板２４の第１壁Ｗ１方向における寸法よりも大きいものとした。
こうすることで、扉２６を閉じた状態において、立板２４と扉２６とが当接することなく隙間７が生じることとなる。
このため、第１壁Ｗ１側の収納空間が第１開口４１と連通することとなり、収納空間全体の通気を確保することができる。
【００４５】
また、本実施形態では、例えば、図３に示すように、棚板２３の端面に小さな突起部材であるクッション６を設けるものとした。
こうすることで、扉２６を閉じるとき、棚板２３の端面と内側面２６１とが直接当接することがなく、例えば、勢いよく扉２６を閉めた場合に、棚板２３の端面や内側面２６１に傷が付く若しくは破損するようなおそれをなくすことができる。
【００４６】
以上、本発明を本実施形態に基づいて具体的に説明してきたが、本発明は上記実施形態に限定されるものではなく、その要旨を逸脱しない範囲で変更可能である。
本実施形態では、棚板２３が側板２１および背板２２に取り付け固定されるものとしたが、これに限らない。例えば、側板２１と棚板２３とのみの構成として背板２２を備えない構成でもよいし、背板２２と棚板２３とのみの構成として側板２１を備えない構成でもいずれでもよい。
【００４７】
また、本実施形態では、立板２４を設けて第２壁Ｗ２方向において、収納空間を間仕切ることとしたが、これに限らず、例えば、立板２４がない構成でもよい。
また、本実施形態では、上下に一対のカウンター３１，３２を設けることとしたが、これに限らない。例えば、これらカウンター３１，３２の代わりに天井や床を代用してもよい。この場合、扉２６の高さ寸法は、収納家具２が設置される箇所の天井高さを略同じにし、床から天井までを収納空間として用いることができる。
【００４８】
また、本実施形態では、扉２６の上下端とカウンター３１，３２とがそれぞれ僅かな隙間を形成するものとしたが、これに限らない。例えば、敢えて隙間を大きくして、最上部ないし最下部の棚板２３に照明装置を設ける構成としてもよい。
こうすることで、扉２６を介した間接照明を収納家具２に設けることができ、意匠性の高い外観を実現することができる。
【００４９】
また、本実施形態では、複数の棚板２３を備えるものとしたが、これに限らず、例えば、棚板２３が１枚の収納家具２としてもよい。
また、本実施形態では、立板２４を上下の棚板２３の間に設けるものとしたが、これに限らず、例えば、棚板２３が側板２１（第１壁Ｗ１）と背板２２（第２壁Ｗ２）とで支え得る場合には柱状のものとしてもよい。
柱状のものであっても上下の棚板２３を連結固定する機能を果たし得るため、棚板２３を安定させることができる。
また、立板２４が棚板２３の下支えとして機能する場合には、立板２４は棚板２３の下面と背板２２（第２壁Ｗ２）とに固定されるものであればよく、例えば、三角形状のものでもよい。
【符号の説明】
【００５０】
１     建物
１Ｆ   １階部分
２     収納家具
２Ｆ   ２階部分
５     ヒンジ
６     クッション
１１   玄関
１２   ホール
１３   ダイニング
１４   キッチン
１５   風呂
１６   洗面所
１７   トイレ
１８   多目的区画
１９   第１階段
２１   側板
２２   背板
２３   棚板（棚構成体）
２４   立板
２５   枠板
２６   扉
３１   カウンター
３２   カウンター
３３   バルコニー
４１   第１開口
４２   第２開口
１１１ 玄関扉
１１２ シューズクローゼット
１１３ 高窓
１２１ 窓
１２２ 明り窓
１３１ 掃出引違窓
１３２ 突出部
１３３ 設置台
１３４ 収納棚
１３５ 高窓
１４１ キッチンカウンター
１４２ キッチンユニット
１４３ 勝手口
１４４ ゲート
１４５ 冷蔵庫置場
１４６ カップボード
１５１ 浴槽
１５２ 換気窓
１６１ 洗面台
１６２ 収納庫
１８１ 引き戸
１９１ 階段下収納庫
１９２ 階段下収納庫
１９３ 手摺壁
２６１ 内側面
Ａ     アプローチ
Ｂ     ビス
ＢＡ   ボードアンカー
Ｓ     化粧シール
ＳＲ   勾配屋根
Ｗ１   第１壁
Ｗ２   第２壁
【図１】
0006574123.tif 000002
【図２】
0006574123.tif 000003
【図３】
0006574123.tif 000004
【図４】
0006574123.tif 000005
【図５】
0006574123.tif 000006
【図６】
0006574123.tif 000007
【図７】
0006574123.tif 000008
【図８】
0006574123.tif 000009
【図９】
0006574123.tif 000010